(57)【要約】      （修正有）【課題】従来、腰痛の緩和や軽減を目的とするベルトが存在する。しかしながら、重い物を運ぶ時にウエス部に装着した場合、あまり効果が得られない。そこで、腰痛防止手段として、「腰痛防止ベルト」を提供する。【解決手段】始めに、繊維を素材とするベルト２０（厚さ３ミリ幅２００ミリ長さ１２００ミリ）の左端の表側に面ファスナの凹５０（縦１８０ミリ、横３５０ミリ）を縫合し、次に右端の裏側に面ファスナの凸５５（縦１８０ミリ、横２００ミリ）を縫合する。続けて、樹脂を素材とする直方体の箱４０の上部に、樹脂製の板３０を取り付け、前記箱４０を前記ベルトの表側中央に堅牢に取り付ける。最後に、肩掛けベルト６５を金具６０に取り付ける。【選択図】図１
2017019663.tif 000002
【特許請求の範囲】
【請求項１】
伸縮可能な肩掛けベルトを備える広幅のベルトの中央に、最上部に板を持つ直方体の箱、又はＬ字をなす棚が存在するもので、前記ベルトの両端に、前記両端を嵌合する部材が存在する腰痛防止ベルトに関する。
【請求項２】
物を入れた箱を運ぶときに、前記ベルトをウエスト部に巻き付け、肩掛けベルトを肩に掛け、ベルト中央部に存在する前記板、又は前記棚に、物を入れた箱を載せ、前記物を入れた箱を両手で抱えながら運ぶことを特徴とする請求項１に記載の腰痛防止ベルトに関する。
【請求項３】
前記直方体の箱と、前記板と、前記棚はベルトをウエスト部に巻き付けたときに腹部に位置するもので、折りたためる構造をなすことを特徴とする請求項１と２に記載の腰痛防止ベルトに関する。
【発明の詳細な説明】
【技術分野】
【０００１】本発明は、腰痛を防止する技術に関する。
【背景技術】
【０００２】従来、腰痛の緩和や治療を目的とするベルトが存在する。
【先行技術文献】
【０００３】特許文献１には腰痛の軽減を目指すことが開示されている。
【０００４】
【特許文献１】特許公開２０１４−０７６１６３号広報「腰痛ベルト」
【発明の概要】
【発明が解決しようとする課題】
【０００５】宅配業や引っ越し業で働く人は、物を入れた段ボール箱を繰り返し運ぶので腰痛になりやすい。工場も、部品を入れた箱を運ぶ作業が多いため腰痛を抱える人が多い。ホームセンターやスーパーマーケットも、商品を入れた段ボール箱を運ぶ作業がある。重い箱を運ぶ作業は腰痛や椎間板ヘルニアの原因になる。【０００６】前記箱を運ぶ作業者の腰痛防止の手段があれば好ましい。従来、腰痛を持つ人が仕事やスポーツをするときに使用するものとして、特許文献１が開示する「腰痛ベルト」などがある。特許文献１には腰痛の軽減を目指すことが開示されている。
【課題を解決するための手段】
【０００７】本発明は、特許文献１が目的とする腰痛の軽減ではなく腰痛防止を目指すもので、前記課題を解決する手段として、「腰痛防止ベルト」を提供する。本発明の「腰痛防止ベルト」を図１と図２と図３に示す。
【発明の効果】
【０００８】一般に、重い箱を運ぶ時は両手で箱を抱え腹部にあてながら運ぶ。この時、腕の筋肉と腹筋と背筋を使用する。重い箱を繰り返し運ぶと、両腕に一番負担がかかる。当然、背筋にも負担がかかる。【０００９】腕と背筋が疲労すると、箱を持ったまま前屈みになったり猫背の姿勢になる。この状態を続けると、第４腰椎と第５腰椎に負担がかかるため、腰痛や椎間板ヘルニアを発症する。【００１０】尚、重い箱とは人間が両手で持てる範囲のものを指す。又、ここからは、宅配業者や引っ越し業者が取り扱う物を入れた段ボール箱、商品を入れた段ボール箱、各種工業部品を入れた箱など、物を入れた箱をすべて「箱」と記す。【００１１】本発明の「腰痛防止ベルト」は、前記箱を運ぶ時にウエスト部に巻き付け、肩掛けベルト６５を肩に掛け、ベルト中央に存在する板３０に前記箱の底の一辺（角）を載せ、前記箱の底部や側部を両手で抱えながら運ぶことを特徴とするものである。この様な手段を用いる運び方は他に類を見ない。【００１２】この手段を用いると、箱を持つ両腕の負担が大幅に軽減され、背筋にかかる負担も軽減される。又、運ぶときに背中を伸ばす姿勢をとるので前屈みや猫背の姿勢になりにくい。よって、第４腰椎と第５腰椎にかかる負担が軽減される。このような効果が得られるため、腰痛や椎間板ヘルニアの防止につながる。【００１３】尚、さほど重量のない箱でも繰り返し運ぶ時に腰痛防止ベルトを使用すると、各部位の筋肉を疲労させない効果が得られる。又、軽度の腰痛を抱える人が使用するとベルトの効果が実感できる。女性の場合、男性に比べると筋力が劣るので本発明の「腰痛防止ベルト」の効果が顕著に現れる。【００１４】もう一つ効果を紹介する。前記板３０に箱を載せると、腹筋や背筋に従来のような負担がかからないので、しゃがんだり立ち上がる時に「いきみ」が少なくなる。又、箱を持って階段を繰り返し上り下りする時も、「いきみ」による呼吸の乱れが減少する。よって、「腰痛防止ベルト」を使用しない運び方と比較すると疲労が小さくなる効果が得られる。【００１５】さらなる効果を紹介する。重い物を持った時に危惧することの中に「ぎっくり腰」がある。ぎっくり腰は、体から離れた物を持った時に発生する。前記板３０に箱を載せて運ぶと、前記箱が腹部に密着し安定状態を保つため、しゃがんだり立ちあがる時、又は、階段を上り下りする時に「ぎっくり腰」になる確率が低くなる効果がある。【００１６】前記板３０に箱を載せると、ベルトにかかる荷重による腰椎への負担が心配される。しかし、本発明の「腰痛防止ベルト」は、ベルトの幅を２００ミリと広めにとり、面ファスナの嵌合部分の面積が大きいので、ウエスト部に巻き付けた時に体にフィットする。よって、ウエスト全体で荷重を受け止めることができる。さらに、肩掛けベルトが荷重を受け止めるので腰椎に大きな負担がかかることはない。【００１７】直方体の箱４０は、荷重がかかる板３０を支えるだけでなく、もう一つ用途がある。宅配業などで使用する時は、内部にペンや印鑑、伝票類などを入れることができるので重宝である。又、前記板３０は伝票に文字を書き込んだり押印することができるので便利である。前記直方体の箱４０と、前記板３０は折りたためるので使用しないときは折りたたむ。これは、人や建造物に接触する事故を防ぐためである。【００１８】図３は、ベルトの中央にＬ字をなす金属製の棚７５を備えた腰痛防止ベルトを示す図である。前記棚７５は、回転式の角度調節器８０により角度の調節が可能である。前記棚７５は使用しないときは上に向けて折りたたむ。
【図面の簡単な説明】
【００１９】図１はベルトの全体図である。図２はベルトの中央に存在する直方体の箱４０と板３０の側面図である。図３は中央にＬ字をなす棚７５を持つベルトの側面図である。
【符号の説明】
【００２０】２０ベルト  ３０板  ４０直方体の箱  ５０面ファスナ凹  ５５面ファスナ凸  ６０金具６５肩掛けベルト  ７０折りたたむ部分  ７５Ｌ字をなす棚  ８０回転式角度調節器
【発明を実施するための形態】
【実施例】
【００２１】それでは実施例１を紹介する。始めに、繊維を素材とするベルト２０（厚さ３ミリ幅２００ミリ長さ１２００ミリ）の左端の表側に面ファスナの凹５０（縦１８０ミリ、横３５０ミリ）を縫合し、次に右端の裏側に面ファスナの凸５５（縦１８０ミリ、横２００ミリ）を縫合する。【００２２】続けて、樹脂を素材とする直方体の箱４０の上部に、樹脂製の板３０を取り付ける。この後、前記箱４０を前記ベルトの表側中央に堅牢に取り付ける。最後に、肩掛けベルト６５を金具６０に取り付けて完成である。本実施例１は面ファスナの嵌合部分の総面積を３６０平方ｃｍと大きめにした。これは、前記板３０に掛かる荷重に耐えるためである。【００２３】前記直方体の箱４０は、前記板３０を支える役割を果たす。寸法は、厚さ４ミリ、高さ１３０ミリ、幅１００ミリ、長さ２００ミリである。又、前記板３０は厚さ４ミリ、縦１２０ミリ、横２００ミリである。尚、ベルトの両端の嵌合部分は面ファスナに限るものではない。又、ベルト２０と板３０と直方体の箱４０の寸法と材質は限定するものではない。肩掛けベルト６５は着脱可能であり長さの調節ができる。尚、前記ベルトの形状は限定するものではない。
【図１】
2017019663.tif 000003
【図２】
2017019663.tif 000004
【図３】
2017019663.tif 000005